(57)【要約】【課題】  地域情報の発信が情報発信者のみでなく、任意の人・組織から情報発信を行うことができる場所ポータルサイト運用システムを提供する。【解決手段】  無線ＬＡＮのアクセスポイントと、アクセスポイントの所在地に関するアクセスポイント情報を管理する所在地管理手段と、アクセスポイントの所在地と地域情報とを関連付けて記憶するデータベースと、データベースに記憶された地域情報は、該地域情報に関連付けられたアクセスポイントを経由した場合のみに読み書き可能とするアクセス手段とを備える。【選択図】    図１
2005070948.tif 000002
【特許請求の範囲】
【請求項１】
無線ＬＡＮのアクセスポイントと、
前記アクセスポイントの所在地に関するアクセスポイント情報を管理する所在地管理手段と、
前記アクセスポイントの所在地と地域情報とを関連付けて記憶するデータベースと、
前記データベースに記憶された地域情報は、該地域情報に関連付けられたアクセスポイントを経由した場合のみに読み書き可能とするアクセス手段と
を備えたことを特徴とする場所ポータルサイト運用システム。
【請求項２】
前記地域情報は、掲示板情報であることを特徴とする請求項１に記載の場所ポータルサイト運用システム。
【請求項３】
前記地域情報は、自己紹介情報であることを特徴とする請求項１に記載の場所ポータルサイト運用システム。
【請求項４】
前記データベースは、前記アクセスポイントと一対に備えたことを特徴とする請求項１ないし３のいずれかに記載の場所ポータルサイト運用システム。
【請求項５】
無線ＬＡＮのアクセスポイントと、前記アクセスポイントの所在地に関するアクセスポイント情報を管理する所在地管理手段と、前記アクセスポイントの所在地と地域情報とを関連付けて記憶するデータベースとを備えた場所ポータルサイト運用システムにおける場所ポータルサイト運用方法であって、
前記データベースに記憶された地域情報は、該地域情報に関連付けられたアクセスポイントを経由した場合のみに読み書き可能とするアクセス制御過程を有することを特徴とする場所ポータルサイト運用方法。
【請求項６】
前記地域情報は、掲示板情報であることを特徴とする請求項５に記載の場所ポータルサイト運用方法。
【請求項７】
前記地域情報は、自己紹介情報であることを特徴とする請求項５に記載の場所ポータルサイト運用方法。
【請求項８】
前記データベースは、前記アクセスポイントと一対に備えたことを特徴とする請求項５ないし７のいずれかに記載の場所ポータルサイト運用方法。
【請求項９】
無線ＬＡＮのアクセスポイントと、前記アクセスポイントの所在地に関するアクセスポイント情報を管理する所在地管理手段と、前記アクセスポイントの所在地と地域情報とを関連付けて記憶するデータベースとを備えた場所ポータルサイト運用システムにおいて動作する場所ポータルサイト運用プログラムであって、
前記データベースに記憶された地域情報は、該地域情報に関連付けられたアクセスポイントを経由した場合のみに読み書き可能とするアクセス制御処理をコンピュータに行わせることを特徴とする場所ポータルサイト運用プログラム。
【請求項１０】
前記地域情報は、掲示板情報であることを特徴とする請求項９に記載の場所ポータルサイト運用プログラム。
【請求項１１】
前記地域情報は、自己紹介情報であることを特徴とする請求項９に記載の場所ポータルサイト運用プログラム。
【請求項１２】
前記データベースは、前記アクセスポイントと一対に備えたことを特徴とする請求項９ないし１１のいずれかに記載の場所ポータルサイト運用プログラム。
【発明の詳細な説明】
【技術分野】
【０００１】
本発明は、無線ＬＡＮアクセスポイントを使用した場所ポータルサイト運用システムに関する。
【背景技術】
【０００２】
無線ＬＡＮは、屋内外の無線ＬＡＮアクセスポイント（以下、アクセスポイントと称する）に於いて、無線ＬＡＮ対応の携帯端末機器（以下、携帯端末と称する）を用いて、インターネットアクセスを利用するものである。無線ＬＡＮの応用として、携帯端末が接続しているアクセスポイントに基づいた地域固有の情報（以下、地域情報と称する）を得ることができる。これは、アクセスポイントサービス提供者が、アクセスポイントを管理するサーバと地域情報を発信するサーバを連携させることにより実現されており、地域情報の利用例として以下のようなものがある（例えば、特許文献１参照）。
・アクセスポイントの周辺に存在する商業施設（ショップ、飲食店、イベントホール等）のをｗｅｂページ／メールで配信し、携帯端末で参照する。
・アクセスポイント周辺の地図をダウンロードし、携帯端末に表示する。
・アクセスポイント周辺の路線に関する情報をダウンロードし、携帯端末で表示する。
【特許文献１】特開２００２−３５８２５６号公報
【発明の開示】
【発明が解決しようとする課題】
【０００３】
しかしながら、特許文献１に示す従来の技術では、地域情報を提供する情報発信者が新たな地域情報を提供する際は、アクセスポイントサービス提供業者が管理する地域情報を発信するサーバにおいて、公開する地域情報に関するファイルを物理的に新規登録又は交換をしなければならないので、迅速な情報提供を行うことができなかった。
具体的には、情報発信者は新規に登録または交換するファイル実体（ｈｔｍｌファイル）を自前で用意し、ファイル実体をサーバに登録・交換する際のサーバのファイル物理的格納先と、登録・交換するタイミング（日時）について、アクセスポイントサービス提供業者と調整を行った上で、情報発信者の手によって遠隔地からオンライン操作又はサーバ設置現場に於ける直接サーバ操作によって、ファイルを登録・交換しなければならなかった。そのため、情報発信者は任意のタイミングで迅速に地域情報を提供することが行えなかった。
【０００４】
また前述したように、情報発信者が地域情報を発信するには、地域情報を発信するサーバを自ら操作して行わなければならないため、情報発信を行える者は特定の人・組織に限られることとなり、一般の人（情報閲覧者等）が自由な意思で任意のタイミングで情報を発信することができなかった。さらに、情報発信は情報発信者から情報閲覧者に対する一方向的なものとなるため、発信される地域情報の内容は情報発信者の紹介情報・広告情報が主となり、閲覧者からの情報発信（例えば、情報発信者に対する意見・批評・問い合わせや、その地域に住む個人の自己ＰＲ、その地域を訪れた人の地域に関する感想やその地域をテーマにした意見交換など）を行うことはできなかった。
【０００５】
本発明は、このような事情に鑑みてなされたもので、地域情報の発信が情報発信者のみでなく、任意の人・組織から情報発信を行うことができる場所ポータルサイト運用システムを提供することを目的とする。
【課題を解決するための手段】
【０００６】
請求項１に記載の発明は、無線ＬＡＮのアクセスポイントと、前記アクセスポイントの所在地に関するアクセスポイント情報を管理する所在地管理手段と、前記アクセスポイントの所在地と地域情報とを関連付けて記憶するデータベースと、前記データベースに記憶された地域情報は、該地域情報に関連付けられたアクセスポイントを経由した場合のみに読み書き可能とするアクセス手段とを備えたことを特徴とする。
【０００７】
請求項２に記載の発明は、前記地域情報は、掲示板情報であることを特徴とする。
【０００８】
請求項３に記載の発明は、前記地域情報は、自己紹介情報であることを特徴とする。
【０００９】
請求項４に記載の発明は、前記データベースは、前記アクセスポイントと一対に備えたことを特徴とする。
【００１０】
請求項５に記載の発明は、無線ＬＡＮのアクセスポイントと、前記アクセスポイントの所在地に関するアクセスポイント情報を管理する所在地管理手段と、前記アクセスポイントの所在地と地域情報とを関連付けて記憶するデータベースとを備えた場所ポータルサイト運用システムにおける場所ポータルサイト運用方法であって、前記データベースに記憶された地域情報は、該地域情報に関連付けられたアクセスポイントを経由した場合のみに読み書き可能とするアクセス制御過程を有することを特徴とする。
【００１１】
請求項６に記載の発明は、前記地域情報は、掲示板情報であることを特徴とする。
【００１２】
請求項７に記載の発明は、前記地域情報は、自己紹介情報であることを特徴とする。
【００１３】
請求項８に記載の発明は、前記データベースは、前記アクセスポイントと一対に備えたことを特徴とする。
【００１４】
請求項９に記載の発明は、無線ＬＡＮのアクセスポイントと、前記アクセスポイントの所在地に関するアクセスポイント情報を管理する所在地管理手段と、前記アクセスポイントの所在地と地域情報とを関連付けて記憶するデータベースとを備えた場所ポータルサイト運用システムにおいて動作する場所ポータルサイト運用プログラムであって、前記データベースに記憶された地域情報は、該地域情報に関連付けられたアクセスポイントを経由した場合のみに読み書き可能とするアクセス制御処理をコンピュータに行わせることを特徴とする。
【００１５】
請求項１０に記載の発明は、前記地域情報は、掲示板情報であることを特徴とする。
【００１６】
請求項１１に記載の発明は、前記地域情報は、自己紹介情報であることを特徴とする。
【００１７】
請求項１２に記載の発明は、前記データベースは、前記アクセスポイントと一対に備えたことを特徴とする。
【発明の効果】
【００１８】
この発明によれば、地域情報の発信が情報発信者のみでなく、任意の人・組織から情報発信が可能になるという効果が得られる。また、情報発信者・情報閲覧者相互の情報流通が可能になるとともに、情報発信を任意のタイミングで任意の内容で行えるようになる。また、地域の施設に関する紹介情報だけでなく、地域に関するあらゆる情報を自由に交換することが可能となり、地域を核としたコミュニティを形成し、相互のコミュニケーションを図ることができる。また、地域を訪問した履歴を残すことができるとともに地域を訪問した証明を得ることができる。
【発明を実施するための最良の形態】
【００１９】
以下、本発明の一実施形態による場所ポータルサイト運用システムを図面を参照して説明する。図１は同実施形態の構成を示すブロック図である。この図において、符号１は、場所ポータルサイトを利用するユーザが所有する端末である。符号２は、アクセスポイントサービス提供者が運用するアクセスポイントシステムであり、アクセスポイント２１、アクセスポイント管理サーバ２２、地域情報発信サーバ２３とからなる。符号３はインターネットである。符号４は、場所ポータルサイトを運用管理するサーバである。
【００２０】
次に、図２を参照して、図１に示すサーバ４の構成を説明する。この図において、符号４１は、端末との通信処理を行う通信装置である。符号４２は、アクセスポイント情報とそれに対応する場所ポータルを保存する場所ポータルデータベース（以下、データベースをＤＢと称する）である。符号４３は、場所ポータルＤＢ４２を管理し、アクセスポイント情報と場所ポータルを対応づけて管理する場所ポータル管理部である。符号４４は、場所ポータルとそれに対応する場所情報（自己紹介情報）、場所情報（掲示板情報）、ユーザＩＤ、自己紹介データ、掲示板データを保存する場所情報ＤＢである。符号４５は、場所情報ＤＢ４４を管理し、場所ポータルと場所情報を対応づけて管理するとともに、端末１より場所情報の登録依頼を受け、場所情報ＤＢ４４への登録と、端末１より掲示場データの登録依頼を受け、場所情報ＤＢ４４への登録を行う場所情報管理部である。
【００２１】
次に、図３を参照して、図１に示す端末の構成を説明する。この図において、符号１１は、サーバ４との通信処理を行う通信装置であり、アクセスポイント２１に対し接続しアクセスポイント管理サーバ２２よりアクセスポイント情報を取得し、サーバ４に対して送信する。符号１２は、各種データを入力する入力装置である。符号１３は、各種ＧＵＩを表示する表示装置である。符号１４は、場所情報（自己紹介情報又は、掲示板情報）の入力を受け付け、サーバ４の場所情報管理部４５に対し情報を送信し、場所情報の登録依頼をする場所情報登録部である。符号１５は、掲示板データの入力を受け付け、サーバ４の場所情報管理部４５に対し情報を送信し、掲示板データの登録依頼をする掲示板データ登録部である。符号１６は、場所情報（自己紹介情報または掲示板情報）を保存する場所情報保存ＤＢである。符号１７は、場所情報（自己紹介情報又は、掲示板情報）を場所情報保存ＤＢ１６に登録する場所情報保存部である。符号１８は、場所ポータルを表示し、場所ポータルの構成要素として場所情報（自己紹介情報又は、掲示板情報）の一覧を表示する場所ポータル表示部であり、参照する場所情報の指示や、場所情報登録の指示をユーザより受ける。符号１９は、ユーザの指示により、場所情報（自己紹介情報）の表示と場所情報（自己紹介情報）の保存指示をユーザより受ける自己紹介情報表示部である。符号２０は、ユーザの指示により、場所情報（掲示板情報）の表示と、掲示板データの登録指示と場所情報（掲示板情報）の保存指示をユーザより受ける掲示板情報表示部である。
【００２２】
ここで、図８〜図１０を参照して、各データベースのテーブル構造を説明する。図８は、図２に示す場所ポータルＤＢ４２のテーブル構造を示す図である。場所ポータルＤＢ４２は、アクセスポイント情報、場所ポータルＩＤ、場所ポータル名を関連つけて記憶するデータベースである。
【００２３】
図９は、図２に示す場所情報ＤＢ４４のテーブル構造を示す図である。場所情報ＤＢ４４は、場所ポータルＩＤ、ユーザＩＤ、場所情報（自己紹介情報または掲示板情報）を関連付けて記憶するデータベースである。
【００２４】
図１０は、図３に示す場所情報保存ＤＢ１６テーブル構造を示す図である。場所情報保存ＤＢ１６は、場所ポータルＩＤ、場所ポータル名、場所情報（自己紹介情報または掲示板情報）を関連付けて記憶するデータベースである。
【００２５】
次に、図４〜図７を参照して、図１〜図３に示す装置の動作を説明する。初めに、図４を参照して、場所情報を参照する動作を説明する。まず、端末１からアクセスポイントに対して無線ＬＡＮ接続を行う（ステップＳ１）。次に、端末１は、アクセスポイント管理サーバ２２からアクセスポイントに関する情報を取得する（ステップＳ２）。そして、端末１は、サーバ４に対して、取得したアクセスポイント情報を送信する（ステップＳ３）。
【００２６】
これを受けて、サーバ４の場所ポータル管理部４３は、送信されたアクセスポイント情報に対応する場所ポータルＩＤ及び場所ポータル名を場所ポータルＤＢ４２から検索して取得する（ステップＳ４）。続いて、サーバ４の場所情報管理部４５は、場所ポータルＩＤに対応する場所情報を場所情報ＤＢ４４から検索して取得し、場所ポータル名とともに端末１へ送信する（ステップＳ５）。
【００２７】
これを受けた端末１は、場所ポータル表示部１８により場所ポータル名及び場所情報（自己紹介情報または掲示板情報）の一覧を表示する（ステップＳ６）。ユーザは、入力装置１２を操作して、表示された場所情報の一覧から参照したい場所情報（自己紹介情報または掲示板情報）の選択指定を行う（ステップＳ７）。端末１は、自己紹介情報表示部または掲示板情報表示部２０により場所情報を表示する（ステップＳ８）。
【００２８】
次に、図５を参照して、場所情報を登録する動作を説明する。まず、前述した図４に示すステップＳ１〜Ｓ６の動作を実行する。そして、ユーザは、ユーザが提供する場所情報（自己紹介情報または掲示板情報）の登録処理の指定を入力装置１２から行う（ステップＳ１１）。これを受けて、端末１の場所情報登録部１４は、場所情報（自己紹介情報または掲示板情報）の入力画面を表示装置１３へ表示する（ステップＳ１２）。
【００２９】
次に、ユーザは、ユーザ提供の場所情報（自己紹介情報または掲示板情報）を入力装置１２より入力する（ステップＳ１３）。これを受けて、端末１の場所情報登録部１４は、サーバ４の場所情報管理部４５に対して、ユーザＩＤ、場所ポータルＩＤ、入力された場所情報（自己紹介情報または掲示板情報）を送信する（ステップＳ１４）。続いて、サーバ４の場所情報管理部４５は、ユーザＩＤ、場所情報（自己紹介情報または掲示板情報）を場所ポータルＩＤと関連付けて場所情報ＤＢ４４に登録する（ステップＳ１５）。
【００３０】
次に、図６を参照して、掲示板記事の書き込みを行う動作を説明する。まず、前述した図４に示すステップＳ１〜Ｓ８の動作を実行する。そして、ユーザは、表示された掲示板情報に対して、掲示板データの追記処理の指定を入力装置１２から行う（ステップＳ２１）。これを受けて、端末１の掲示板データ登録部１５は、掲示板データの入力画面を表示装置１３へ表示する（ステップＳ２２）。ユーザは、入力装置１２から掲示板データの入力を行う（ステップＳ２３）。
【００３１】
次に、端末１の掲示板データ登録部１５は、サーバ４の場所情報管理部４５に対して、ユーザＩＤ、場所ポータルＩＤ、掲示板情報ＩＤ及び入力された掲示板データを送信する（ステップＳ２４）。これを受けて、サーバ４の場所情報管理部４５は、ユーザＩＤ、場所ポータルＩＤ、掲示板データを掲示板情報ＩＤと関連付けて、場所情報ＤＢ４４へ登録する（ステップＳ２５）。
【００３２】
次に、図７を参照して、場所情報を保存する動作を説明する。まず、前述した図４に示すステップＳ１〜Ｓ８の動作を実行する。そして、ユーザは、場所情報（自己紹介情報または掲示板情報）に対して、場所情報保存処理の指定を入力装置１２から行う（ステップＳ３１）。これを受けて、端末１の場所情報保存部１７は、場所情報（自己紹介情報または掲示板情報）をお気に入り情報として、場所ポータルＩＤ、場所ポータル名とともに、場所情報保存ＤＢ１６へ登録する（ステップＳ３２）。
【００３３】
なお、図４に示すステップＳ２、Ｓ３において、端末１がアクセスポイント情報を取得して（ステップＳ２）、端末１が取得したアクセスポイント情報をサーバ４に対して送信する（ステップＳ３）例を示したが、端末１がサーバ４に直接アクセスをし、これを受けて、サーバ４がアクセスポイント管理サーバからアクセスポイント情報を取得するようにしてもよい。
【００３４】
また、図１において、サーバ４は、インターネット３を介してアクセスポイントシステム２と接続する例を示したが、サーバ４はインターネット３を介する必要はなく、アクセスポイントシステム２に対して直接接続されていてもよい。また、地域情報発信サーバ２３内に、図１に示すサーバ４の機能を備えるようにしてもよい。
【００３５】
このように、無線ＬＡＮのアクセスポイントと一対一に対応づけられた「場所ポータル」を用いて地域情報の管理・運用を行い、場所にまつわる掲示板の情報であり、場所ポータルに対応づけられて管理される掲示板情報と、個人／団体個々の紹介を行うための情報であり、場所ポータルに対応づけられて管理される自己紹介情報とを、このアクセスポイントを訪れた者が書き込めるようにしたため、地域情報の発信が情報発信者のみでなく、任意の人・組織から情報発信が可能になる。
【００３６】
無線ＬＡＮを利用してアクセスポイントに基づく地域情報を利用する場合、従来は地域情報の発信は特定の情報発信者からのみ行われ、任意の人・組織による情報発信や閲覧者からの元情報に対するフィードバックを行うことができなかった。また、情報の内容は地域情報提供者が提供する施設の諸元的なものに固定されており、地域に関わる情報を自由に流通させることができなかった。本発明の場所ポータル運用システムによれば、地域情報の管理を無線ＬＡＮのアクセスポイントと一対一に対応づけられた「場所ポータル」の導入により、だれでも自由に場所に関わる情報を登録・参照できる機能を提供することが可能となる。
【００３７】
なお、図２，３における各処理部の機能を実現するためのプログラムをコンピュータ読み取り可能な記録媒体に記録して、この記録媒体に記録されたプログラムをコンピュータシステムに読み込ませ、実行することにより場所ポータルサイト運用処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３９】
【図１】本発明の一実施形態の構成を示すブロック図である。
【図２】図１に示すサーバ４の構成を示すブロック図である。
【図３】図１に示す端末１の構成を示すブロック図である。
【図４】場所情報の参照動作を示すフローチャートである。
【図５】場所情報の登録動作を示すフローチャートである。
【図６】掲示板記事の書き込み動作を示すフローチャートである。
【図７】場所情報の保存動作を示すフローチャートである。
【図８】場所ポータルＤＢ４２のテーブル構造を示す説明図である。
【図９】場所情報ＤＢ４４のテーブル構造を示す説明図である。
【図１０】場所情報保存ＤＢ１６のテーブル構造を示す説明図である。
【符号の説明】
【００４０】
１・・・端末
１１・・・通信装置
１２・・・入力装置
１３・・・表示装置
１４・・・場所情報登録部
１５・・・掲示板データ登録部
１６・・・場所情報保存ＤＢ
１７・・・場所情報保存部
１８・・・場所ポータル表示部
１９・・・自己紹介情報表示部
２・・・アクセスポイントシステム
２１・・・アクセスポイント
２２・・・アクセスポイント管理サーバ
２３・・・地域情報発信サーバ
３・・・インターネット
４・・・サーバ
４１・・・通信装置
４２・・・場所ポータルＤＢ
４３・・・場所ポータル管理部
４４・・場所情報ＤＢ
４５・・・場所情報管理部
【図１】
2005070948.tif 000003
【図２】
2005070948.tif 000004
【図３】
2005070948.tif 000005
【図４】
2005070948.tif 000006
【図５】
2005070948.tif 000007
【図６】
2005070948.tif 000008
【図７】
2005070948.tif 000009
【図８】
2005070948.tif 000010
【図９】
2005070948.tif 000011
【図１０】
2005070948.tif 000012